(57)【要約】【課題】印刷に必要な部分を見つけ出し、必要であればその部分に加工を加えて印刷することができる情報処理システムを提供する。【解決手段】クライアント端末１とサーバ２とプリンタ３とからなる情報処理システムにおいて、サーバ２は、記憶装置２１に印刷データを蓄積してクライアント端末１からの希望データを蓄積データ内から検索して検索結果をクライアント端末１に送信する機能と、クライアント端末１からの付加情報と希望データに基づいて新しい印刷データを作成しその印刷データを副記憶装置２２に記憶すると共にプリンタ３に出力する機能を有する。【選択図】      図１
2004258923.tif 000002
【特許請求の範囲】
【請求項１】
クライアント端末とサーバとプリンタとからなる情報未処理システムにおいて、サーバは、記憶装置に印刷データを蓄積してクライアント端末からの希望データを蓄積データ内から検索して検索結果をクライアント端末に送信する栓索送信手段と、クライアント端末からの付加情報と希望データに基づいて新しい印刷データを作成しその印刷データを副記憶装置に記憶すると共にプリンタに出力する新印刷データ作成出力手段とを有することを特徴とする情報処理システム。
【請求項２】
請求項１記載の情報処理システムにおいて、クライアント端末は、希望データを指定し、サーバからの検索結果を表示しその結果からいくつかの付加情報を設定しサーバに送信することを特徴とする情報処理システム。
【請求項３】
請求項１記載の情報処理システムにおいて、プリンタは、サーバよりの新しい印刷データを印刷することを特徴とする情報処理システム。
【請求項４】
請求項１記載の情報処理システムにおいて、クライアント端末は、検索対象、検索内容を設定する機能し、サーバは、蓄積されている印刷データの内容から文字、イメージ、図を判別することを特徴とする情報処理システム。
【請求項５】
請求項４記載の情報処理システムにおいて、クライアント端末は、設定した検索対象、検索内容に印刷フォーマットに関する付加情報を加え、そのデータサーバに送信することを特徴とする情報処理システム。
【請求項６】
請求項１記載の情報処理システムにおいて、印刷するプリンタは任意に指定されることを特徴とする情報処理システム。
【発明の詳細な説明】
【０００１】
【発明の属する技術分野】
本発明は、クライアント端末によって指定された内容に基づいて、サーバ内に蓄積した印刷データを検索して再構成し、プリンタで印刷を行なう情報処理システムに関するものである。
【０００２】
【従来の技術】
現在のプリンタには、ＨＤＤなどのメモリ装置が組み込まれており、プリンタに送信してきた印刷データをメモリ装置に蓄積しておくことができるようになっている。
【０００３】
【発明が解決しようとする課題】
そしてプリンタに蓄積されたデータはそのまま印刷することができるようになっているのだが、クライアントは印刷データの全てを必要とするとは限らない。
その場合、不必要な部分も印刷してしまうことになる。
本発明は、印刷に必要な部分を見つけ出し、必要であればその部分に加工を加えることができる情報処理システムを提供することを目的とする。
【０００４】
【課題を解決するための手段】
上記目的を達成するために、請求項１記載の発明は、クライアント端末とサーバとプリンタとからなる情報処理システムにおいて、サーバは、記憶装置に印刷データを蓄積しクライアント端末からの希望データを蓄積データ内から検索して検索結果をクライアント端末に送信し、クライアント端末からの付加情報と希望データに基づいて新しい印刷データを作成しその印刷データを副記憶装置に記憶すると共にプリンタに出力することを最も主要な特徴とする。
請求項２記載の発明は、請求項１記載の情報処理システムにおいて、クライアント端末は、希望データを指定し、サーバからの検索結果を表示しその結果からいくつかの付加情報を設定しサーバに送信することを主要な特徴とする。
請求項３記載の発明は、請求項１記載の情報処理システムにおいて、プリンタは、サーバよりの新しい印刷データを印刷することを主要な特徴とする。
請求項４記載の発明は、請求項１記載の情報処理システムにおいて、クライアント端末は、検索対象、検索内容を設定し、サーバは、蓄積されている印刷データの内容から文字、イメージ、図を判別することを主要な特徴とする。
請求項５記載の発明は、請求項４記載の情報処理システムにおいて、クライアント端末は、設定した検索対象、検索内容に印刷フォーマットに関する付加情報を加え、そのデータサーバに送信することを主要な特徴とする。
請求項６記載の発明は、請求項１記載の情報処理システムにおいて、印刷するプリンタは任意に指定されることを主要な特徴とする。
【０００５】
【発明の実施の形態】
以下、本発明の実施の形態を図面に従って説明する。
図１は本発明の実施の形態に係る情報処理システムの構成図である。本発明の情報処理システムは、クライアントにより操作されるパソコン等からなるクライアント端末１、サーバ２、プリンタ３から成り立つ。クライアント端末１はサーバ２と通信が可能になっており、サーバ２が所有する記憶装置２１と副記憶装置２２のうち、記憶装置２１に記憶されたデータの概要を知ることができる。概要とは、データ名や、データが記憶された日付、データのサイズなどである。
副記憶装置２２は、サーバ２が記憶装置２１の中からクライアント端末１の命令に従って、検索を行なった結果や情報を記憶する部分である。プリンタ３は、サーバ２から送られてくる記憶装置２１や副記憶装置２２に記憶されたデータを印刷可能になっている。
記憶装置２１や副記憶装置２２に記憶されるのは印刷データである。印刷データは、付加情報とページの情報で成り立っている（図２参照）。印刷データの一番初めには、ページを印刷する際の紙の大きさや紙に合わせた文字の大きさや、印刷枚数、印刷方向などの付加情報が記憶されている。
次に各ページの情報が来る。各ページの情報の一番初めにはページの始まりを示すもの、一番最後には、ページの終わりを示すものが情報として入っており、その間に文字、イメージ、図のデータが区切られて記憶されている（図３参照）。
通常印刷を行う場合は、クライアント端末１からサーバ２に印刷データが送信され、記憶装置２１に記憶される。サーバ２は、印刷データの送信が終了する、または付加情報とページの情報を受け取った時点でプリンタ３に印刷データを送信し、プリンタ３は印刷を行なう。
クライアント端末１から検索を行なう場合のフローを図６に基いて説明する。クライアント端末１から検索を行なう場合は、図４に示す検索用の画面にて検索条件を設定する。
【０００６】
検索の手順としては、まず検索対象を設定する（Ｓ１）。検索対象は複数設定できる。次に検索する内容を設定する（Ｓ２）。文字かイメージか、図のいずれかを検索することができる。図４の検索ボタン１１を押すと（Ｓ３）、検索対象のサーバ２に検索する内容を送信する。
サーバ２で検索が開始され、結果がクライアント端末１に返ってくる。文字を検索する内容に設定した場合は、印刷データに含まれる文字データをページごとに検索し、含まれるページを結果として受け取る。イメージと図は、印刷データに含まれるイメージデータ、図のデータを検索し、それらが含まれるページを結果として受け取る。
結果はクライアント端末１の図５に示す結果用画面に一覧でページが表示される（Ｓ４）。表示されたページにチェックを付けることで、そのページが印刷対象のページとなる（Ｓ５）。また、付加情報を選択することで（Ｓ６）、印刷するページに変更を加えることができる。
すなわち、印刷ページをチェックした場合は、選択したページの情報すべてを印刷する。選択されない場合は、文字なら文字だけ、イメージならイメージだけとなる。複数枚印刷をチェックし、枚数を指定すると、その枚数分印刷を行なう。イメージ、図の拡大は、ページを印刷、文字を検索内容とした時には効果がない。しかし、イメージや図を検索内容とした時は、紙の大きさに合わせて検索内容を拡大する。
そして、印刷を行ないたいプリンタ３を対象プリンタとして設定し（Ｓ７）、図５に示す印刷ボタン１２を押すことで（Ｓ８）、サーバ２へ印刷対象のページと付加情報と対象プリンタの情報を送信する。
【０００７】
次に、サーバ２においてクライアント端末１から検索対象と内容を送信された時の手順としては、図７のフローに示すように、まず検索内容を設定する（Ｓ１）。検索内容に従って、記憶装置２１に蓄積しているデータの検索を行い（Ｓ２）、検索結果を副記憶装置２２に記録する（Ｓ３）。そして記録した内容をクライアント端末１に送信する。以上のＳ１〜Ｓ３の処理動作が、請求項１の栓索送信手段に相当する。
クライアント端末１から印刷対象のページと付加情報と対象プリンタの情報を受け取れば、受け取った付加情報の基づき、付加情報用のデータを作成し、印刷対象ページと合わせ、新しい印刷データとして副記憶装置２２に記録する（Ｓ４〜Ｓ６）。最後にその印刷データを対象プリンタに送信してプリントを行なう。
以上のＳ４〜Ｓ６の処理動作が、請求項１の新印刷データ作成出力手段に相当する。
本発明の実施形態では、このようにして、印刷を行ないたい部分を検索し、さらに付加情報を加えることによって、不必要な部分を除外し、印刷データの情報密度を上げることができる。
【０００８】
【発明の効果】
以上説明したように、本発明によれば、サーバに蓄積されているデータを検索し、必要な部分を抽出して新しい印刷データを作成することによって、不必要な部分を除外し、印刷データの情報密度を上げることができる。
【図面の簡単な説明】
【図１】本発明の実施の形態に係る情報処理システムの構成図である。
【図２】印刷データの基本的データ構成図である。
【図３】印刷データ内のページデータの基本的構成図である。
【図４】クライアント端末の検索用画面を示す図である。
【図５】クライアント端末の検索結果画面を示す図である。
【図６】クライアント端末で検索を行なう場合の手順を示すフロー図である。
【図７】サーバでクライアント端末から検索対象と内容を受信した時の手順を示すフロー図である。
【符号の説明】
１  クライアント端末
２  サーバ
３  プリンタ
２１  記憶装置
２２  副記憶装置
【図１】
2004258923.tif 000003
【図２】
2004258923.tif 000004
【図３】
2004258923.tif 000005
【図４】
2004258923.tif 000006
【図５】
2004258923.tif 000007
【図６】
2004258923.tif 000008
【図７】
2004258923.tif 000009